(57)【特許請求の範囲】
【請求項１】
地表に突出される排水管の開口端部に被せ嵌められ、縦樋の下端が挿入嵌合されてこの縦樋の下端と同排水管の開口端部とを接続する縦樋用排水管カバーであり、排水管の開口端部の直上に位置される上壁板部分を適宜切断可能な縦樋接続用板部として形成し、縦樋接続用板部の中程に予め、切断用の鋏の先端を挿入する小孔が形成されており、この縦樋接続用板部の一部を切断除去して縦樋の下端が挿入嵌合される接続用開口部を形成するようになした縦樋用排水管カバー。
【請求項２】
地表に突出される排水管の開口端部に被せ嵌められ、縦樋の下端が挿入嵌合されてこの縦樋の下端と同排水管の開口端部とを接続する縦樋用排水管カバーであり、排水管の開口端部の直上に位置される上壁板部分を適宜切断可能な縦樋接続用板部として形成し、縦樋接続用板部に予め、縦樋の外周形に合致した形状の切断用溝が形成されており、この縦樋接続用板部の一部を切断除去して縦樋の下端が挿入嵌合される接続用開口部を形成するようになした縦樋用排水管カバー。
【発明の詳細な説明】
【技術分野】
【０００１】
本願発明は、地表に突出される排水管の開口端部に被せ嵌められ、縦樋の下端が挿入嵌合されてこの縦樋の下端と同排水管の開口端部とを接続する縦樋用排水管カバーに関するものである。
【背景技術】
【０００２】
従来から、特開平８−２８４３４４号公報に示される如く、建物に用いられる縦樋と、地下に設けられた排水管との間を接続する縦樋用排水管カバーは知られている。この縦樋用排水管カバーは、図４に示す様に、筒型で雨水が流れる部分である管部１４と、管部１４の下部に備えた袴部１５から構成されている。縦樋２は、縦樋用排水管カバー１の管部１４上端の開口部分である接続用開口部１１に挿入嵌合される。管部１４の下端は、地下に埋設された排水管３から地表に突出されている開口端部３１に向かって開口しており、縦樋２を流れる雨水が管部１４を通じて排水管３に排水されるようになされている。
【０００３】
排水管３の開口端部３１は周囲を袴部１５で覆われており、開口端部３１から排水管３に木の葉等の異物が侵入することを防ぎ、また開口端部３１に雨水が排水される際に水がはねて周囲に飛散し、周囲を濡らしたり汚したりすることを防いでいる。
【０００４】
縦樋用排水管カバー１の接続用開口部１１から、異物が排水管３の開口端部３１に侵入することを防ぐために、接続用開口部１１と縦樋２の外周形は合致させられており、縦樋２と接続用開口部１１は隙間なく嵌合している。
【特許文献１】特開平８−２８４３４４号公報
【発明の開示】
【発明が解決しようとする課題】
【０００５】
しかしながら、上記従来例の縦樋用排水管カバー１にあっては、異なる縦樋２の外周形に対応するために、縦樋用排水管カバー１を複数用意しなくてはならないという問題点がある。これにより、施工業者は複数の縦樋２に対応した縦樋用排水管カバー１を予め用意しなければならず在庫増となる。
【０００６】
本願発明は、上記背景技術に鑑みて発明されたものであり、その課題は、異なる外周形の縦樋に対応することができる縦樋用排水管カバーを提供することである。
【課題を解決するための手段】
【０００７】
上記課題を解決するために、本願発明は、地表に突出される排水管の開口端部に被せ嵌められ、縦樋の下端が挿入嵌合されてこの縦樋の下端と同排水管の開口端部とを接続する縦樋用排水管カバーであり、排水管の開口端部の直上に位置される上壁板部分を適宜切断可能な縦樋接続用板部として形成し、縦樋接続用板部の中程に予め、切断用の鋏の先端を挿入する小孔が形成されており、この縦樋接続用板部の一部を切断除去して縦樋の下端が挿入嵌合される接続用開口部を形成するようになした縦樋用排水管カバーである。
【０００９】
又、地表に突出される排水管の開口端部に被せ嵌められ、縦樋の下端が挿入嵌合されてこの縦樋の下端と同排水管の開口端部とを接続する縦樋用排水管カバーであり、排水管の開口端部の直上に位置される上壁板部分を適宜切断可能な縦樋接続用板部として形成し、縦樋接続用板部に予め、縦樋の外周形に合致した形状の切断用溝が形成されており、この縦樋接続用板部の一部を切断除去して縦樋の下端が挿入嵌合される接続用開口部を形成するようになした縦樋用排水管カバー。
【発明の効果】
【００１０】
本願発明の縦樋用排水管カバーにおいては、縦樋接続用板部の一部を切断除去して縦樋の下端が挿入嵌合される接続用開口部を形成するようになしたことから、挿入嵌合する縦樋の外周形に合わせて縦樋接続用板部の一部を切断除去して接続用開口部を設けることにより、一種類の縦樋用排水管カバーで様々な外周形の縦樋に対応することが可能となり、異なる外周形の縦樋にあわせて複数の縦樋用排水管カバーを準備しなければならないという問題点を解決する。
【００１１】
又、縦樋接続用板部の中程に予め、切断用の鋏の先端を挿入する小孔が形成されていることから、施工時に鋏を用いて縦樋接続用板部を切断することが容易となる。
【００１２】
又、縦樋接続用板部に予め、縦樋の外周形に合致した形状の切断用溝が形成されていることから、切断用溝に合わせて縦樋接続用板部を切断除去すれば、接続用開口部と縦樋の外周形とを合致させることが容易となる。更に、縦樋接続用板部を切断用溝に合わせて切断すれば、刃先が切断用溝にガイドされて切断が容易となる。
【発明を実施するための最良の形態】
【００１３】
図１、２は、本願の請求項１、２に対応した第一実施形態である縦樋用排水管カバー１を示している。この実施形態の縦樋用排水管カバー１は、地表に突出される排水管３の開口端部３１に被せ嵌められ、縦樋２の下端２１が挿入嵌合されてこの縦樋２の下端２１と同排水管３の開口端部３１とを接続するようになされており、排水管３の開口端部３１の直上に位置される上壁板部分を適宜切断可能な縦樋接続用板部１１１として形成し、この縦樋接続用板部１１１の一部を切断除去して縦樋２の下端２１が挿入嵌合される接続用開口部１１を形成するようになされている。
【００１４】
又、縦樋接続用板部１１１の中程に予め、切断用の鋏の先端を挿入する小孔１２が形成されている。
【００１５】
以下、この第一実施形態の縦樋用排水管カバー１を、より具体的詳細に説明する。図１に示すように、縦樋２は建物の外壁部に取り付けられて、雨水を排水管３に排水する。地下に埋設された排水管３からは地表に開口端部３１が突出しており、縦樋２を流れる雨水はこの開口端部３１を経由して排水管３に排水される。排水管３に異物が侵入することを防ぐために、開口端部３１は縦樋用排水管カバー１で覆われる。この縦樋用排水管カバー１は樹脂製である。
【００１６】
縦樋用排水管カバー１上面の上壁板部分は、縦樋２を接続するための縦樋接続用板部１１１として形成されており、この縦樋接続用板部１１１を施工時に切断除去して、縦樋２を挿入するための接続用開口部１１が設けられている。接続用開口部１１は縦樋２の外周形に合致させており、縦樋２が隙間なく嵌合されているので、開口端部３１から排水管３へ異物が侵入することを防いでいる。縦樋接続用板部１１１は材質が硬質で切断可能な樹脂であるので、上から押さえるような力が働いても下方に落ち込むことは無く、異物が排水管３に侵入することを防ぐ。
【００１７】
縦樋２の下端２１は、排水管３の開口端部３１よりも下側の位置に施工されている。排水される雨水は縦樋２と排水管３に沿って流れるが、縦樋用排水管カバー１に沿っては流れない。従って、図４に示す従来例において縦樋用排水管カバー１が備えなければならない管部１４が不要となり、構成要素が少なくなって、製造が容易となることや、材料が少なくて済むなどの利点がある。また、図４の管部１４と袴部１５からなる構造と比較してこの実施形態の縦樋用排水管カバー１は単純な構造であり、設計や製造が容易となるなどの利点がある。
【００１８】
縦樋用排水管カバー１と縦樋２及び排水管３の開口端部３１は、上方から見ていずれも外周形が円形であり、それらの円の中心が上方から見て一致するように施工されている。但し、縦樋２を建物の外壁に取り付けた結果、縦樋２の下端２１は縦樋用排水管カバー１の中心と一致せず、図２のＸの如く偏心することがある。このような場合でも、図２のＸにあわせて縦樋接続用板部１１１を切断除去して接続用開口部１１を設けることで対応することが可能である。
【００１９】
縦樋接続用板部１１１を切断除去する際には、鋏を用いることで樹脂を容易にかつ正確に切断することが可能になる。切断に鋏を用いる場合には、鋏の２つある刃で縦樋接続用板部１１１を挟んで切断する。縦樋接続用板部１１１に小孔１２が無ければ、鋏の刃先で縦樋接続用板部１１１を貫通させるのが困難であり、鋏による切断が困難になるが、この実施形態では予め小孔１２を設けているため鋏による切断が容易となる。
【００２０】
この実施形態の縦樋用排水管カバー１においては、縦樋接続用板部１１１の一部を切断除去して縦樋２の下端２１が挿入嵌合される接続用開口部１１を形成するようになしたことから、挿入嵌合する縦樋２の外周形に合わせて縦樋接続用板部１１１の一部を切断除去して接続用開口部１１を設けることにより、一種類の縦樋用排水管カバー１で様々な外周形の縦樋２に対応することが可能となり、異なる外周形の縦樋２にあわせて複数の縦樋用排水管カバー１を準備しなければならないという問題点を解決する。
【００２１】
又、縦樋接続用板部１１１の中程に予め、切断用の鋏の先端を挿入する小孔１２が形成されていることから、施工時に鋏を用いて縦樋接続用板部１１１を切断することが容易となる。
【００２２】
図３は、本願の請求項１〜３の全てに対応した第二実施形態である縦樋用排水管カバー１を示している。ここでは、上記第一実施形態と相違する事項についてのみ説明し、その他の事項（構成、作用効果等）については、上記第一実施形態と同様であるのでその説明を省略する。この第二実施形態は第一実施形態と同じ構成要素を備えており、更に追加して、縦樋接続用板部１１１に予め、縦樋２の外周形に合致した形状の切断用溝１３が形成されている。
【００２３】
この実施形態では、図３に示すように縦樋接続用板部１１１の下面に、切断用溝１３が設けられている。この切断用溝１３は縦樋接続用板部１１１を断面が三角形になるように切除しており、切除された部分は縦樋用接続板部１１１を肉薄となしている。切断用溝１３は３本設けられており、外周形が径の異なる円である縦樋２に対応した２本の切断用溝１３１、１３２と、外周形が略四角形である縦樋２に対応した切断用溝１３３である。
【００２４】
切断用溝１３を設けた部分は縦樋接続用板部１１１が肉薄となっているが、施工後にこの実施形態の縦樋用排水管カバー１を使用する際に、強度不足など使用の妨げになることの無いように設けられている。また切断用溝１３は縦樋接続用板部１１１の下面に設けられているから、使用時に切断用溝１３によって美感を損ねることが無い。
【００２５】
この実施形態の縦樋用排水管カバー１においては、縦樋接続用板部１１１に予め、縦樋２の外周形に合致した形状の切断用溝１３が形成されていることから、切断用溝１３に合わせて縦樋接続用板部１１１を切断除去すれば、接続用開口部１１と縦樋２の外周形とを合致させることが容易となる。また、縦樋接続用板部１１１を切断用溝１３に合わせて切断すれば、刃先が切断用溝１３にガイドされて切断が容易となる。更に、この実施形態では切断用溝１３の部分は縦樋接続用板部１１１が肉薄となるため、縦樋接続用板部１１１を切断用溝１３に合わせて切断すれば接続用開口部１１を設けることが容易となる。
【００２６】
なお、本願発明においては、上記の実施形態に限定されない。例えば、縦樋用排水管カバー１の材質は、切断可能な材質であれば樹脂製でなくステンレス製であっても良い。また、縦樋２や建物の意匠と合わせるために塗装が可能であっても良い。切断用溝１３は縦樋接続用板部１１１の下面でなくても良い。縦樋２と排水管３の位置関係において、縦樋２の下端２１は排水管３の開口端部３１より上にあっても良い。
【図面の簡単な説明】
【００２７】
【図１】本願発明の第一実施形態である縦樋用排水管カバーを示す正面図（一部縦断面図）。
【図２】同縦樋用排水管カバーの底面図。
【図３】本願発明の第二実施形態である縦樋用排水管カバーにおける（ａ）は縦断面図、（ｂ）は底面図。
【図４】従来例である縦樋用排水管カバーの縦断面図。
【符号の説明】
【００２８】
１  縦樋用排水管カバー
11  接続用開口部
111  縦樋接続用板部
12  小孔
13  切断用溝
２  縦樋
21  下端
３  排水管
31  開口端部
【図１】
0004670609.tif 000002
【図２】
0004670609.tif 000003
【図３】
0004670609.tif 000004
【図４】
0004670609.tif 000005